(57)【要約】ネットワークに接続されたサービス提供サーバは、消費者情報端末に有する在庫管理手段において消費者が購入した食品名並びに各食品毎の数量並びに該購入した食品毎の消費量を保存登録するように促し、該両保存登録の内容の比較から現在残っている在庫食品名並びにその数量を求めた在庫食品データを保存登録する段階と、ネットワークに接続された消費者情報端末に有する表示手段に在庫管理手段で求めた在庫食品データを表示する段階と、消費者情報端末において保存登録されている食品毎の消費量を、サービス提供サーバが受け取り、これを前記ネットワークに接続されている食品メーカ情報端末に送信する段階を備え食品の購入・開発支援方法。
2002027581.tif 000002
【特許請求の範囲】
【請求項１】
食品を購入し、かつこれを食品収納保存空間に収納保存する消費者及び該食品の購入並びに該食品の開発に関与することを望む食品メーカに対してネットワークを介してサービス提供サーバが前記食品収納保存空間に設置された消費者情報端末並びに前記食品メーカが保有する食品メーカ情報端末に各種情報を提供することにより、各種支援を行う食品の購入・食品の開発支援を行う食品の購入・開発支援方法であって、
前記ネットワークに接続された消費者情報端末に有する在庫管理手段において前記消費者が購入した食品名並びに各食品毎の数量を保存登録するように促し、該購入した食品毎の消費量を保存登録するように促し、該両保存登録の内容の比較から現在残っている在庫食品名並びにその数量を求めた在庫食品データを保存登録する段階と、
前記ネットワークに接続された消費者情報端末に有する表示手段に前記在庫管理手段で求めた在庫食品データを表示する段階と、
前記消費者情報端末において保存登録されている食品毎の消費量を、前記サービス提供サーバが受け取り、これを前記ネットワークに接続されている食品メーカ情報端末に送信する段階と、
を具備した食品の購入・開発支援方法。
【請求項２】
前記食品メーカ情報端末で受信された、食品毎の消費量を該食品メーカ情報端末で分析し、新食品の開発を行う段階、又は前記消費者個々の趣向に応じた該食品メーカ情報端末を保有している食品メーカの食品の広告又は前記新食品の広告を作成する段階と、
該食品の広告を、前記サービス提供サーバが受け取り、これを前記消費者情報端末に送信し該消費者情報端末に有する表示手段に表示させる段階と、
前記サービス提供サーバを保有しているサービス提供業者は、前記消費者情報端末の表示手段に前記食品の広告を表示させた該食品メーカから広告料及び又は情報料を受け取る段階と、
を具備したことを特徴とする請求項１に記載の食品の購入・開発支援方法。
【請求項３】
前記消費者情報端末に有するクッキングメニュー並びこれらのレシピを保存したデータベースと、該データベースを検索可能な検索手段を備えたものにおいて、前記検索手段を用いて前記消費者情報端末において保存登録された在庫食品データの中の食品のみを使用したクッキングメニュー又は該在庫食品データの中の食品を主として使用したクッキングメニュー並びこれらのレシピを、前記データベースから検索し、前記消費者情報端末に表示させる段階と、
を具備した請求項１に記載の食品の購入・開発支援方法。
【請求項４】
食品を購入し、かつこれを主として冷蔵庫内に収納保存する消費者及び該食品の購入並びに該食品の開発に関与することを望む食品メーカに対してネットワークを介してサービス提供サーバが前記冷蔵庫又はこれに近接して設置された消費者情報端末並びに前記食品メーカが保有する食品メーカ情報端末に各種情報を提供することにより、各種支援を行う食品の購入・食品の開発支援を行う食品の購入・開発支援方法であって、
前記ネットワークに接続された消費者情報端末は、在庫管理手段と表示手段を有するものであって、前記在庫管理手段において前記消費者が購入した食品名並びに各食品毎の賞味期限及び各食品毎の数量を保存登録し、該購入した食品毎の消費量を保存登録し、該両保存登録の内容の比較から現在残っている在庫食品名並びに該在庫食品毎の賞味期限及び該在庫食品毎の数量を求めた在庫食品データを保存登録する段階と、
前記在庫食品データを前記表示手段に表示する段階と、
前記消費者情報端末において保存登録されている食品毎の消費量を、前記サービス提供サーバが受け取り、これを前記ネットワークに接続されている食品メーカ情報端末に送信する段階と、
を具備した食品の購入・開発支援方法。
【請求項５】
前記消費者情報端末は、クッキングメニュー並びこれらのレシピを保存したデータベースと、該データベースを検索可能な検索手段と、表示手段を備えたものにおいて、
前記表示手段に前記在庫食品データと、該在庫食品データの中の賞味期限の迫っている食品名及びその数量を夫々表示する段階と、
前記検索手段を用いて前記消費者情報端末において保存登録された在庫食品データの中の賞味期限の迫った食品のみを使用したクッキングメニュー又は該在庫食品データの中の賞味期限の迫った食品を主として使用したクッキングメニュー並びこれらのレシピを、前記データベースから検索し、前記消費者情報端末の表示手段に表示させる段階と、
を具備した請求項４に記載の食品の購入・開発支援方法。
【請求項６】
消費者情報端末は、該消費者情報端末を保有している消費者の表示部を有する移動通信端末と無線通信が可能となっており、前記消費者端末の表示手段に表示されている在庫食品データを、前記移動通信端末の表示部に表示させる段階と、
を具備した請求項４に記載の食品の購入・開発支援方法。
【請求項７】
食品を購入し、かつこれを主として冷蔵庫内に収納保存する消費者及び該食品の購入並びに該食品の開発に関与することを望む食品メーカに対してネットワークを介してサービス提供サーバが前記冷蔵庫又はこれに近接して設置された消費者情報端末並びに前記食品メーカが保有する食品メーカ情報端末に各種情報を提供することにより、各種支援を行う食品の購入・食品の開発支援を行う食品の購入・開発支援方法であって、
前記ネットワークに接続された消費者情報端末は、在庫管理手段と、クッキングメニュー並びこれらのレシピを保存したデータベースと、該データベースを検索可能な検索手段と、表示手段を備えたものであって、前記在庫管理手段において、、前記消費者が購入した食品名並びに各食品毎の賞味期限及び各食品毎の数量を保存登録し、該購入した食品毎の消費量を保存登録し、該両保存登録の内容の比較から現在残っている在庫食品名並びに該在庫食品毎の賞味期限及び該在庫食品毎の数量を求めた在庫食品データを保存登録する段階と、
前記検索手段を用いて前記在庫食品データの中の賞味期限の迫った食品のみを使用したクッキングメニュー又は該在庫食品データの中の賞味期限の迫った食品を主として使用したクッキングメニュー並びにこれらのレシピを、前記データベースから検索し、前記消費者情報端末の表示手段に表示させる段階と、
前記表示手段に前記在庫食品データと、該在庫食品データの中の賞味期限の迫っている食品名及びその数量を夫々表示し、かつ前記検索手段で検索されたクッキングメニュー並びにこれのレシピを表示する段階と、
前記在庫管理手段において保存登録されている食品毎の消費量を、前記サービス提供サーバが有する情報伝送手段が受け取り、これを前記ネットワークに接続されている食品メーカ情報端末に送信する段階と、
を具備した食品の購入・開発支援方法。
【請求項８】
消費者情報端末は、該消費者情報端末を保有している消費者の表示部を有する移動通信端末と無線通信が可能となっており、前記消費者端末の表示手段に表示されている在庫食品データを、前記移動通信端末の表示部に表示させる段階と、
を具備した請求項７に記載の食品の購入・開発支援方法。
【請求項９】
食品を購入し、かつこれを食品収納保存空間に収納保存する消費者及び該食品の購入並びに該食品の開発に関与することを望む食品メーカに対してネットワークを介してサービス提供サーバが前記食品収納保存空間に設置された消費者情報端末並びに前記食品メーカが保有する食品メーカ情報端末に各種情報を提供することにより、各種支援を行う食品の購入・食品の開発支援を行う食品の購入・開発支援システムであって、
前記消費者情報端末は前記ネットワークに接続され、在庫管理手段と表示手段を有し、前記在庫管理手段は、前記消費者が購入した食品名並びに各食品毎の数量を保存登録し、また該購入した食品毎の消費量を保存登録し、更に該両保存登録の内容の比較から現在残っている在庫食品名並びにその数量を求めた在庫食品データを保存登録するものであり、
前記表示手段は、前記在庫管理手段で求めた在庫食品データを表示するものであり、
前記サービス提供サーバは、情報伝送手段を有し、該情報伝送手段は前記消費者情報端末の在庫管理手段において保存登録されている食品毎の消費量を受け取り、これを前記ネットワークに接続されている食品メーカ情報端末に送信するものである食品の購入・開発支援システム。
【請求項１０】
前記食品メーカ情報端末は分析手段を有し、該分析手段は前記消費者情報端末から受けた、食品毎の消費量を分析し、新食品の開発を行うか、又は前記消費者個々の趣向に応じた該食品メーカ情報端末を保有している食品メーカの食品の広告又は前記新食品の広告を作成するものであり、
前記サービス提供サーバは広告表示データ変換手段を有し、該広告表示データ変換手段は前記分析手段で作成された商品の広告を、消費者端末に有する表示手段に表示できるように変換するものである請求項９に記載の食品の購入・開発支援システム。
【請求項１１】
前記消費者情報端末は、新たににデータベースと検索手段を有し、前記データベースはクッキングメニュー並びこれらのレシピを保存したものであり、前記検索手段は前記消費者情報端末において保存登録された在庫食品データの中の食品のみを使用したクッキングメニュー又は該在庫食品データの中の食品を主として使用したクッキングメニュー並びにこれらのレシピを、前記データベースから検索し、前記消費者情報端末の表示手段に表示させるものである請求項１０に記載の食品の購入・開発支援システム。
【請求項１２】
食品を購入し、かつこれを主として冷蔵庫内に収納保存する消費者及び該食品の購入並びに該食品の開発に関与することを望む食品メーカに対してネットワークを介してサービス提供サーバが前記冷蔵庫又はこれに近接して設置された消費者情報端末並びに前記食品メーカが保有する食品メーカ情報端末に各種情報を提供することにより、各種支援を行う食品の購入・食品の開発支援を行う食品の購入・開発支援システムであって、
前記消費者情報端末は、前記ネットワークに接続され、在庫管理手段と表示手段を有し、前記在庫管理手段は前記消費者が購入した食品名並びに各食品毎の賞味期限及び各食品毎の数量を保存登録し、該購入した食品毎の消費量を保存登録し、該両保存登録の内容の比較から現在残っている在庫食品名並びに該在庫食品毎の賞味期限及び該在庫食品毎の数量を求めた在庫食品データを保存登録するものであり、
前記表示手段は前記在庫食品データを表示するものであり、
前記サービス提供サーバは情報伝送手段を有し、該情報伝送手段は前記消費者情報端末において保存登録されている食品毎の消費量を受け取り、これを前記ネットワークに接続されている食品メーカ情報端末に送信するものである食品の購入・開発支援システム。
【請求項１３】
前記消費者情報端末は、新たにデータベースと、検索手段を有し、該データベースはクッキングメニュー並びこれらのレシピを保存したものであり、該検索手段は該在庫食品データに基づき該データベースを検索するものであり、
前記表示手段は前記在庫食品データの表示以外に、新たに該在庫食品データの中の賞味期限の迫っている食品名及びその数量を夫々表示するものであり、
前記検索手段は、前記消費者情報端末において保存登録された在庫食品データの中の賞味期限の迫った食品のみを使用したクッキングメニュー又は該在庫食品データの中の賞味期限の迫った食品を主として使用したクッキングメニュー並びこれらのレシピを、前記データベースから検索し、前記消費者情報端末の表示手段に表示させるものである請求項１２に記載の食品の購入・開発支援システム。
【請求項１４】
前記消費者情報端末は、該消費者情報端末を保有している消費者の表示部を有する移動通信端末と無線通信が可能となっており、前記消費者端末の表示手段に表示されている在庫食品データを、前記移動通信端末の表示部に表示させるものである請求項１２に記載の食品の購入・開発支援システム。
【請求項１５】
食品を購入し、かつこれを主として冷蔵庫内に収納保存する消費者及び該食品の購入並びに該食品の開発に関与することを望む食品メーカに対してネットワークを介してサービス提供サーバが前記冷蔵庫又はこれに近接して設置された消費者情報端末並びに前記食品メーカが保有する食品メーカ情報端末に各種情報を提供することにより、各種支援を行う食品の購入・食品の開発支援を行う食品の購入・開発支援システムであって、
前記消費者情報端末はネットワークに接続され、在庫管理手段と、データベースと、検索手段と、表示手段とを有し、前記データベースはクッキングメニュー並びにこれらのレシピを保存したものであり、
前記在庫管理手段は、前記消費者が購入した食品名並びに各食品毎の賞味期限及び各食品毎の数量を保存登録し、該購入した食品毎の消費量を保存登録し、該両保存登録の内容の比較から現在残っている在庫食品名並びに該在庫食品毎の賞味期限及び該在庫食品毎の数量を求めた在庫食品データを保存登録するものであり、
前記検索手段は前記在庫食品データの中の賞味期限の迫った食品のみを使用したクッキングメニュー又は該在庫食品データの中の賞味期限の迫った食品を主として使用したクッキングメニュー並びこれらのレシピを前記データベースから検索するものであり、
前記表示手段は前記在庫食品データと、該在庫食品データの中の賞味期限の迫っている食品名及びその数量を夫々表示し、かつ前記検索手段で検索されたクッキングメニュー並びにこれのレシピを表示するものであり、
前記サービス提供サーバは情報伝送手段を有し、該情報伝送手段は、前記在庫管理手段において保存登録されている食品毎の消費量を受け取り、これを前記ネットワークに接続されている食品メーカ情報端末に送信するものである食品の購入・開発支援システム。
【請求項１６】
前記消費者情報端末は、該消費者情報端末を保有している、消費者が所有している表示部を有する移動通信端末と無線通信が可能であり、前記消費者端末の表示手段に表示されている在庫食品データを、前記移動通信端末の表示部に表示させるようにした請求項１５に記載の食品の購入・開発支援システム。
【請求項１７】
食品メーカが販売する食品を消費者が購入する場合であって、サービス提供業者が保有するサービス提供サーバが接続されたネットワークに、前記食品メーカ及び前記消費者が夫々保有する情報端末が接続され、前記サービス提供サーバから各種の情報が前記各情報端末を介して前記食品メーカ及び前記消費者に提供され、これによって食品の購入・開発支援が行えるように構成した食品の購入・開発支援システムに使用され、前記消費者が購入した食品を主として収納保存する冷蔵庫において、
在庫管理手段と、検索手段と、表示手段及び又はオンラインショッピング指示手段を備えたものであり、
前記在庫管理手段は、前記食品を購入した際に食品名並びにその個数及び又は食品の賞味期限を在庫管理用メモリに保存登録するための入力登録部と、該入力登録部で保存登録された食品を消費したときその食品名とその個数を前記在庫管理用メモリに保存登録するための消費登録部と、該消費登録部で保存登録された内容と、該入力登録部で保存登録された内容の比較により在庫食品名とその個数及び又は在庫食品の賞味期限真近のものの在庫食品データを作成する在庫食品データ作成部からなり、
前記検索手段は、クッキングメニュー並びにこれらのレシピを保存したデータベースと、該データベースから前記在庫食品データの中の食品を主として使用したクッキングメニュー並びこれらのレシピ及び又は賞味期限真近の在庫食品を中心としたクッキングメニュー並びにこれらのレシピを検索する検索部からなり、
前記表示手段は、前記検索手段からの検索結果及び前記在庫管理手段からの在庫食品データ並びに前記食品メーカからの食品の広告を表示するものであり、
オンラインショッピング指示手段は、前記消費者が希望する食品名並びその個数を食品メーカ毎に注文指示可能なものである食品の購入・開発支援システム用の冷蔵庫。
【請求項１８】
食品を主として収納保存する冷蔵庫において、前記食品を購入した際に食品名並びにその個数及び又は食品の賞味期限を在庫管理用メモリに保存登録するための入力登録部と、該入力登録部で保存登録された食品を消費したときその食品名とその個数を前記在庫管理用メモリに保存登録するための消費登録部と、該消費登録部で保存登録された内容と、該入力登録部で保存登録された内容の比較により在庫食品名とその個数及び又は在庫食品の賞味期限真近のものの在庫食品データを作成する在庫食品データ作成部と、該在庫食品データを表示する表示部とからなる在庫管理手段を、冷蔵庫本体の側面又は扉面に具備した冷蔵庫。
【請求項１９】
クッキングメニュー並びにこれらのレシピを保存したデータベースと、該データベースから前記在庫食品データの中の食品を主として使用したクッキングメニュー並びにこれらのレシピ及び又は賞味期限真近の在庫食品を中心としたクッキングメニュー並びにこれらのレシピを検索する検索部からなる検索手段を、更に前記冷蔵庫本体の側面又は扉面に具備した請求項１８に記載の冷蔵庫。
【請求項２０】
前記冷蔵庫本体の在庫管理手段は、無線通信の受信部を備え、該冷蔵庫を保有している消費者が所有している移動通信端末との間で無線通信により前記在庫管理手段の在庫食品データを読み出すことが可能な請求項１８に記載の冷蔵庫。
【発明の詳細な説明】
技術分野
本発明は、ネットワークに接続され、食品（何等加工を施さない食料品と、該食料品に加工を施した加工食料品の両方を含む）を保存するための例えば冷蔵庫に有する消費者情報端末と、同様にネットワークに接続されサービス提供サーバを管理している情報サービス提供業者と、更にネットワークに接続されスポンサである食品メーカの情報端末からなる食品の購入・広告支援方法及び購入・広告支援システム並びに冷蔵庫に関する。
背景技術
従来、家庭用冷蔵庫は、内部に収納されている食品の在庫管理がなされておらず、スーパストアで買ってきた食品をそのまま収納していた。
このため、冷蔵庫に入っていた食品をつい忘れたり、賞味期限を誤認識して腐らせしまったり、買い物の際に冷蔵庫内にあるにもかかわらず、買い物にいく人の記憶が曖昧なため、無駄な買い物をすることがあった。
一方、食品メーカにあっては、例えばアンケート方式により特定の消費者に対して希望する食品の把握や食品の消費動向を把握していたため、消費者の多くのニーズに対応しきれず、しかも最新の消費情報を得にくい。
本発明は上記の課題を解決するためになされたもので、消費者にあっては無駄な食品の買い物を防ぐことができ、食品メーカにあっては最新の消費情報が得られる食品の購入・広告支援方法及び購入・広告支援システム並びに冷蔵庫を提供することを目的とする。
発明の開示
本発明によれば、消費者が購入した食品の登録保存と、その食品消費状況を、食品収納保存空間例えば冷蔵庫に設けられた在庫管理手段で収集し、ここで求められる在庫食品データを保存登録し、該在庫食品データの食品に基づくデーベースに保存されているクッキングメニュー及びレシピから検索するようにしたので、消費者個人は従来のようにクッキングメニューを指定してそのレシピを検索する場合に比べて、はるかに無駄な食品の買い物を防ぐことができる。
また、在庫食品データを求める際の購入した食品の消費情報が消費者の情報端末から食品メーカの情報端末に与えられるので、従来アンケート方式等による消費者からの情報提供とは異なり、最新の食品消費情報が得られることから、新食品の開発並びに消費者のニーズに合った食品を製造販売ができる。
更に、食品メーカの情報端末に与えられる食品の消費情報が分析手段で分析されるので、新製品の開発又は消費者個々の趣向に応じた自社製品の広告をサービス提供サーバ経由で消費者の所有する情報端末に送信することで、消費者との間で１対１の広告活動が可能となる。
消費者情報端末を家庭にある電気製品の中で２４時間連続通電状態にある、冷蔵庫に装着することで、パソコンのインターネットの広告やテレビの広告とは違い、常に消費者の目に触れる可能性のある広告媒体が得られる。
このようなことから、消費者にあっては無駄な食品の買い物を防ぐことができ、食品メーカにあっては最新の消費情報が得られる食品の購入・広告支援方法及び購入・広告支援システム並びに冷蔵庫を提供することができる。
発明を実施するための最良の形態
以下、図面を参照して本発明の実施形態を説明する。
第１図は、本発明の実施形態に係るネットワークを用いた食品の購入・広告支援システムの模式図である。
ネットワークとしてのインターネット１に対して、食品の購入・広告支援システムとしてのサービスを提供するサービス提供サーバ２が接続されている。このサービス提供サーバ２は、コンピュータ等の一種の情報端末で構成されており、インターネット１に対するサーバの機能を有する。ここで、用いるインターネット１は有線通信方式、無線通信方式のいずれであってもよく、また公衆回線も含む場合もある。
インターネット１には、サービス提供サーバ２の他に、複数の消費者がそれぞれ保有している例えば冷蔵庫に備えている消費者情報端末３と、複数のスポンサとなる食品メーカにそれぞれ備えている食品メーカ情報端末４等が接続されている。
各消費者情報端末３及び各食品メーカ情報端末４は、インターネット１を介してサービス提供サーバ２のホームページに自由にアクセスできる閲覧ソフトであるブラウザが組み込まれている。また、各消費者情報端末３及び各食品メーカ情報端末４は、電子メールの送受信機能を有している。さらに、インターネット１には、基地局６が接続され、この基地局６を介して移動通信端末例えば携帯電話７が無線通信により消費者端末３との間で電子メールが可能になっている。
第２図は、本実施形態の概略構成を説明するためのものであって、サービス提供サーバ２と、消費者情報端末３と、食品メーカ情報端末４の関係を示す図である。
サービス提供サーバ２は、消費者情報端末３から購入した食品のうち消費した食品の消費情報及び消費者自身の情報並びにスポンサーとなる食品メーカの情報端末４からの食品情報に対するアンケートの回答を受け取る（Ｓ１０）。
サービス提供サーバ２は食品メーカ情報端末４から受け取った消費者情報並びに食品情報に対する回答を、スポンサーとなる食品メーカに対して送信する（Ｓ４０）。
これに対して食品メーカ情報端末４を保有している食品メーカはサービス提供サーバ２を保有しているサービス提供業者にに対して広告料および情報料の支払を行う（Ｓ３０）。
サービス提供サーバ２は消費者情報端末３に対して食品メーカからの食品情報を送信したり、食品メーカからの各種サービス例えば食品メーカからのクーポン券を送る（Ｓ２０）。
第３図は、このようなネットワークシステムに組み込まれたサービス提供サーバ２が消費者及び食品メーカに対して食品の購入・広告支援の実施手順を示す概略のシーケンス図である。
この図は、概略食品を購入し、かつこれを食品収納保存空間例えば冷蔵庫に収納保存する消費者及び該食品の購入並びに該食品の開発に関与することを望む食品メーカに対してネットワークを介してサービス提供サーバが食品収納保存空間に設置された消費者情報端末並びに食品メーカが保有する食品メーカ情報端末に各種情報を提供することにより、各種支援を行う食品の購入・食品の開発支援を行う食品の購入・開発支援システムであって、サービス提供サーバ２と、消費者情報端末３と、食品メーカ情報端末４は、以下のように構成されている。
消費者情報端末３はネットワーク１に接続され、在庫管理手段１１と、登録手段１０と、表示手段（第５図）６ｈを有している。在庫管理手段１１は、登録手段１０に対して消費者が購入した食品名並びに各食品毎の数量を保存登録するように促し（Ｓ１１）、また該購入した食品毎の消費量を保存登録するように促す（Ｓ１２）。更に在庫管理手段１１は、該両保存登録の内容の比較から現在残っている在庫食品名並びにその数量を求めた在庫食品データ（履歴データ）を保存登録する（Ｓ１３）。
表示手段６ｈは、在庫管理手段１１で求めた在庫食品データを表示したり、食品メーカからの商品の広告を表示したりする。
サービス提供サーバ２は、情報伝送手段例えば専用コンピュータ１２を有し、専用コンピュータ１２は消費者情報端末３の在庫管理手段１１において保存登録されている食品毎の消費量（消費情報）を受け取る。
そして、専用コンピュータ１２はこの食品毎の消費量（Ｓ１４）をネットワーク１に接続されている食品メーカ情報端末３に送信するものである。
食品メーカ情報端末４には、消費情報の入手手段（入力手段）１３と、消費情報分析手段１４を有し、消費情報の入手手段１３は該消費情報を入力する。
該分析手段１４は前記消費者情報端末から受けた、食品毎の消費量を分析し、新食品の開発を行うか（Ｓ２６）、又は消費者個々の趣向分析を行う（Ｓ２５）。
この消費情報の分析結果、すなわち趣向に応じた食品情報は、サービス提供サーバ２に有している広告表示データに変換する変換手段１７が取り込む（Ｓ１５）。
そして、この変換手段１７により変換された広告表示データは、冷蔵庫６に有する表示部６ｈの広告スペースに表示される。また、分析手段１４の分析結果、新食品が開発されると（Ｓ２６）、この新食品の情報提供が変換手段１７に対して行われる（Ｓ２７）。この変換手段１７で変換された広告表示データも、表示部６ｈの広告スペースに表示される。この結果、消費者は消費者情報端末３の表示部６ｈから食品情報の入手が可能となる（Ｓ１６）。
一方、消費者情報端末３には、データベース（第４図の調理のレシピに関するデータベース）２４と、検索手段（図示せず）を有し、データベース２４はクッキングメニュー並びこれらのレシピを保存したものである。
前記検索手段は消費者情報端末３において保存登録された在庫食品データの中の食品のみを使用したクッキングメニュー又は該在庫食品データの中の食品を主として使用したクッキングメニュー並びこれらのレシピを、データベース２４から検索し、消費者情報端末３の表示部６ｈに表示させる。
この場合、クッキングレシピ他情報端末が有する機能（消費者情報端末３自体が有する）の消費者へのデータベース、ソフトウェアが与えられる（Ｓ１８）。このデータベース、ソフトウェアが与えられることにより（Ｓ１９）、在庫管理をベースとした消費者にとって便利な機能が利用できる（Ｓ２１）。
第５図は、消費者情報端末３、すなわち冷蔵庫５の扉に取付けられパネルコンピュータ６を説明するための図である。パネルコンピュータ６は、在庫管理手段と、検索手段と、表示手段及び又はオンラインショッピング指示手段を備えたものである。
具体的には、前記在庫管理手段は、食品を購入して消費者自身が操作するもので購入食品の食品名並びにその個数を、在庫管理用メモリ（冷蔵庫内の食品の履歴データを保存するためのもの、第４図の２５）に保存登録するための入力登録部（ここでは食品の収納と記載されている部分）６ｂと、食品の賞味期限を該在庫管理用メモリに保存登録するための入力登録部（ここでは賞味期限と記載されている部分）６ｄと、該入力登録部６ｂで保存登録された食品を消費したときその食品名とその個数を前記在庫管理用メモリに保存登録するための消費登録部（ここでは食品の取り出しと記載されている部分）６ａと、該消費登録部６ａで保存登録された内容と、該入力登録部６ｂで保存登録された内容の比較により在庫食品名とその個数及び又は在庫食品の賞味期限真近のものの在庫食品データ（第４図の２７）を作成する在庫食品データ作成部（ここでは何が入っている？と記載されている部分）６ｃとからなっている。
在庫食品データ作成部６ｃをタッチすると、第４図に示すような在庫食品データ２７が表示され、これにより現在の残っている食品がわかる。在庫食品データ作成部６ｃをタッチしたときに、在庫食品データ２７と同時に賞味期限真近の食品も同時に表示される。
なお、第５図の買い物メモスイッチ６ｆをタッチすると、日常的に消費する商品例えば卵、納豆、牛乳の在庫状況が分かるように表示される。
入力登録部６ｂは、例えば商品に付されているバーコードを、バーコードリーダ３０により読み取ったり、第７図に示すようにタッチパネル、バーコードリーダ３０付きパネルコンピュータを使用したり、またタッチパネル方式、或は音声入力方式、さらに日常よく冷蔵庫に保管される食品をアイコン化したスイッチを有する入力画面による食品情報を行う等のいずれかであってもよい。賞味期限については、手入力で２日後、３日後と入力登録し、更に食品の消費登録は手動で在庫食品名、個数、賞味期限を削除する必要がある。
なお、バーコードの場合には、食品にバーコードが付されていない野菜、魚、芋類にあっては手入力とすればよい。第７図に示すようにタッチパネル、バーコードリーダ３０付きパネルコンピュータを使用することで、消費者が簡単で食品名、数量、賞味期限の登録又は削除（食品の消費）が行える。
前記検索手段は、クッキングメニュー並びこれらのレシピを保存したデータベース（第４図の２４）と、該データベース２４からクッキングメニュー並びこれらのレシピを検索する検索部（第５図では６ｅと記載されている部分）からなっている。レシピスイッチ６ｅをタッチするクッキングメニュー並びこれらのレシピが、第６図のように表示される。
第６図は、レシピスイッチ６ｅをタッチ（レシピの選択Ｓ３１）したときに表示される画面を一例を示すもので、冷蔵庫内の食品から検索する場合（Ｓ３２）と、消費期限（賞味期限）真近な食品から検索する場合（Ｓ３３）と、季節の食品から検索する場合（Ｓ３４）と、これら以外の全てのクッキングメニュー並び各クッキングメニュー毎のレシピの全てを表示する場合（Ｓ３５）とがある。このように表示されている中から、いずれかを選択すると、この検索結果に応じて表示される。検索の結果、該当するクッキングメニューを表示し、更にタッチ操作で選ばれたクッキングメニューのレシピが表示される。その際に、不足している食品については、わかりやすくするために、例えば色を変えて表示が行われる（Ｓ３６）。これにより、買い物メモ機能へ展開する（Ｓ３７）。
表示手段は、例えば表示部６ｈに示すように前記検索手段からの検索結果及び在庫管理手段１１からの在庫食品データ並びに食品メーカからの食品の広告を表示するものである。
オンラインショッピング指示手段（ここではオンラインショッピングと記載されている部分）６ｇは、消費者が希望する食品名並びその個数を食品メーカ毎に注文を指示可能なものである。
冷蔵庫本体に有する在庫管理手段１１は、無線通信の受信部を備え、該冷蔵庫を保有している消費者が所有している移動通信端末例えば携帯電話との間で無線通信により在庫管理手段の在庫食品データを読み出すことが可能となっている。
第４図は、主として消費者情報端末３の動作を詳細に説明するための図であり、消費者情報端末３内には食品広告表示データベース２１と、冷蔵庫内の食品に関するデータベース２２と、調理のレシピに関するデータベース２４と、冷蔵庫内の食品の出入りの履歴データベース２５と、消費者情報（ユーザ）を保存するデータベース２６を備えており、次のような処理が行われる。
サービス提供サーバ２は、食品メーカ情報端末４からの食品広告を受け取ったとき、これを消費者情報端末３内において食品広告・情報の受信処理を行い（Ｓ５４）、食品広告表示データベース２１内に保存登録する。この食品広告表示データベース２１内で保存登録された食品広告を表示部６ｈに、表示できるような広告情報の処理が行われ（Ｓ５５）、その後表示部６ｈに表示される（Ｓ５６）。
この結果、食品メーカから自社製品の広告とその調理例を消費者に向けて発信ができ、これにより新しい広告媒体の提供ができる。更に、サービス提供サーバ２と、消費者情報端末（情報通信端末）３と、食品メーカ情報端末４がインターネット１に接続されているので、消費者に向けて食品メーカの自社製品に対するアンケートを消費者に向けて発信できると共にその消費者からの回答の入手も食品メーカ情報端末４で行え、このことにより消費者とのコミニュケーションスペースが提供できる。
データベース２６には、消費者の認証番号（ＩＤ番号）が付けられた消費者の情報が保存登録されており、これは消費者が冷蔵庫を購入時に保存登録される。この場合、基本情報として、年齢層、性別、居住地域、家族構成の情報である。この消費者の情報は、在庫食品データが求める際に得られる食品の消費情報が、サービス提供サーバ２を介して食品メーカ情報端末４に送信される際に（Ｓ５２）、同時に送信される。
前述のように求められた在庫食品データは、冷蔵庫内の食品の出入の履歴データベース２５内において、図に示すように品名とその数量並びにその賞味期限が、各食品毎に保存登録されている。このようにして、冷蔵庫内食品の出入りのデータ及び消費者全てのデータが集計された結果が定期的に提供される。この場合、サービス提供サーバ２に対して定期的、例えば毎日指定時刻に、例えばフリーダイヤル回線にて接続し、消費者情報端末３からは、食品の出入りの履歴情報をサービス提供サーバ２からは、食品メーカからの広告情報をダウンロードする。
消費者情報端末３は、受信を主体とした、図示しないが例えば携帯電話の回線（又はＰＨＳの回線）を有しているので、所有者が予め登録された携帯電話７との間において、信号の送受信が可能である。具体的には、所有者が登録したパスワードメールを受信することにより、予め登録された携帯電話７へ冷蔵庫５内の食品に関するデータ（データベース２２に保存登録されているデータ）は、メールとして送受信することができる。すなわち、所有者が登録した消費者情報端末３内において、消費者からの問い合せ受信処理を行い（Ｓ７０）、データベース２３に保存登録されているデータを読み出してメールデータ作成処理を行い（Ｓ６８）、更に消費者からの問い合せ返信処理を行うことで（Ｓ６９）、携帯電話７と消費者情報端末３の間で送受信が可能である。
この結果、在庫食品データは例えば携帯電話７を使用して遠隔地からも参照することができるので、便利である。
また、メニュー画面処理において（Ｓ５６）、調理のレシピに関するデータベース２４から調理のレシピ賞味期限の真近な食品の検索処理を行い（Ｓ６４）、かつ該データベース２４から調理のレシピ賞味期限の検索処理を後賞味期限の真近な食品のレシピの検索処理を行う（６５）。
この結果、賞味期限が迫った冷蔵庫５内の食品について、第８図に示す一覧表示とその食品を使用したレシピを情報として提供することができる。
さらに、冷蔵庫内の食品に関するデータベース２２及び調理のレシピに関するデータベース２４において、在庫食品データの食品のうちの特定の食品を指定することで（Ｓ５９）、それを使用したクッキングメニュー及びそのレシピ並びに冷蔵庫５内の食品を組み合わせたレシピを情報として得ることができる。
なお、データベース２２は、メニュー画面処理（Ｓ５６）により冷蔵庫内の食品情報の更新処理が行われる（Ｓ５７）。。
また、履歴データベース２５は、冷蔵庫内の食品情報の更新処理が行われとき（Ｓ５７）、冷蔵庫内食品の履歴データ更新処理が行われようになっている（Ｓ６２）。
さらに、レシピで提供受けた食品のうち、不足分について電子メールの形で例えば携帯電話７に対して情報を提供できる。すなわち、メニュー画面処理Ｓ５６の結果に基づき、買い物メモ処理を行い（Ｓ６６）、その後不足している食品の検索を行って（Ｓ６１）、携帯電話７に対して情報を送信することで不足分の食品のメモを取る必要が無い。
また、日常的に消費する食品、例えば卵、牛乳については残り数を指定することで、携帯電話７に指定時刻に電子メールを使用し、買い物リストとして情報を提供することができる。
以上述べた実施形態によれば、次のような効果が得られる。
＊消費者に提供されるサービス
１）冷蔵庫内食品の在庫管理
冷蔵庫５の扉を開けることなく、在庫食品データ（庫内の食品を一覧表）が、冷蔵庫５の扉に取付けられたパネルコンピュータ６の表示部６ｈに表示される。
また、在庫食品データは例えば携帯電話７を使用して遠隔地からも参照することができるので、便利である。このことは具体的には、例えばスーパーマーケットに居ながら冷蔵庫内の食品の在庫食品データを確認して買い物を行うことができる。
２）クッキングレシピの提供
在庫食品データの食品のうちの特定の食品を指定することで、それを使用したクッキングメニュー及びそのレシピ並びに冷蔵庫５内の食品を組み合わせたレシピを情報として得ることができる。
３）冷蔵庫内食品の鮮度管理
賞味期限が迫った冷蔵庫５内の食品について、第８図に示す一覧表示とその食品を使用したレシピを情報として提供することができる。
４）新商品の情報提供、クーポン券の入手
食品メーカ（スポンサー）より、新商品の情報提供及びクーポン券の提供を受けることが可能になる。
また、食品メーカが実施するアンケート等に対しても本システムを使用して回答ができる。
５）買い物メモの提供
レシピで提供受けた食品のうち、不足分について電子メールの形で移動通信端末例えば携帯電話に対して情報を提供できる。この結果、不足分の食品のメモを取る必要が無い。
また、日常的に消費する食品、例えば卵、牛乳については残り数を指定することで、携帯電話に指定時刻に電子メールを使用し、買い物リストとして情報を提供することができる。
＊食品メーカに提供されるサービス
１）消費者の情報
認証番号（ＩＤ番号）が付けられた消費者の情報が提供される。まず、基本情報として、年齢層、性別、居住地域、家族構成の情報が提供される。また、冷蔵庫内食品の出入りのデータ及び消費者全てのデータが集計された結果が定期的に提供される。
２）新しい広告媒体の提供
自社製品の広告とその調理例を消費者に向けて発信ができる。
３）消費者とのコミニュケーションスペースの提供
冷蔵庫に付属の消費者情報端末（情報通信端末）３を通して、消費者に向けて自社製品に対するアンケートを発信できると共にその回答の入手も行える。
＊消費者情報端末
１）食品（商品）の登録／削除機能
例えばバーコードリーダ３０による商品情報の取込み及び、日常的によく消費され冷蔵庫５に保管される食品を、第７図に示すようにアイコン化したスイッチを有する入力画面による商品情報の取り込みができる。これにより、消費者が簡単に品名、数量、賞味期限の登録／削除が行える。
２）和食、中華、フレンチ等の料理に加え、旬の食品を利用した料理のレシピをデータベースとして有し、レシピと使用する食品をキーワードにそのレシピを検索する機能を有する。また、データベース化された冷蔵庫５内の食品とレシピに必要な食品の比較を行い、不足している食品についての情報を提供する機能を有する。
産業上の利用可能性
以上のように、本発明に係る食品の購入・広告支援方法及び購入・広告支援システム並びに冷蔵庫は、ネットワークに接続され、食品を保存するための例えば冷蔵庫に有する消費者情報端末と、同様にネットワークに接続されサービス提供サーバを管理している情報サービス提供業者と、更にネットワークに接続されスポンサーである食品メーカの情報端末からなる食品の購入・広告支援を行う際に用いるのに適している。
【図面の簡単な説明】
第１図は、本発明の実施形態に係る食品の購入・広告支援方法が適用されるネットワークを用いた食品の購入・広告支援支援システムが組込まれたネットワークシステムを示す模式図であり、第２図は、第１図のサービス提供サーバと、消費者情報端末と、食品メーカ情報端末相互間における信号の流れの概略を示す図であり、第３図は、サービス提供サーバが消費者及び食品メーカに対して食品の購入・広告支援支援に関する各種支援の手順を示すシーケンス図であり、第４図は、主として消費者情報端末の機能を説明するための図であり、第５図は、冷蔵庫に取付けられるパネルコンピュータを説明するための図であり、第６図は、第５図のレシピ画面の展開を説明するためのであり、第７図は、タッチパネル、バーコードリーダ付きパネルコンピュータを説明するための図であり、第８図は、第５図の賞味期限のタッチパネルを操作したときの表示画面例を示す図である。
【図１】
2002027581.tif 000003
【図２】
2002027581.tif 000004
【図３】
2002027581.tif 000005
【図４】
2002027581.tif 000006
【図５】
2002027581.tif 000007
【図６】
2002027581.tif 000008
【図７】
2002027581.tif 000009
【図８】
2002027581.tif 000010
【国際調査報告】
2002027581.tif 000011
2002027581.tif 000012